(57)【要約】【課題】極めて簡単な動作で迅速に一つの画像情報から複数のトリミング画像を取り出すことが出来るようにする。【解決手段】記録部３には撮像部７で撮影された多数の画像情報が記録されており、トリミングモードにおいて、記録部３に記録された多数の画像情報のうちの一つの画像情報を表示部６に表示させると、この表示された画像情報に重ねて複数のフレーム画像が表示される。この複数のフレーム画像で囲まれたそれぞれの部分画像の全部もしくは選択された部分画像は順次トリミングされ且つファイル化されて記録部３に記録される。【選択図】図１
2006115365.tif 000002
【特許請求の範囲】
【請求項１】
画像情報を記憶する画像情報記憶手段と、この画像情報記憶手段に記憶された前記画像情報を表示する画像情報表示手段と、この画像情報表示手段に表示された画像情報から複数の部分画像情報を抽出する部分画像情報抽出手段と、この部分画像情報抽出手段によって抽出された前記複数の部分画像情報それぞれを異なった識別情報に対応させて記憶する部分画像情報記憶手段とを具備したことを特徴とする画像処理装置。
【請求項２】
前記部分画像情報抽出手段は、前記画像情報表示手段に表示された画像情報を予め定められた数の部分画像情報に分割して抽出する分割手段を具備していることを特徴とする請求項１に記載の画像処理装置。
【請求項３】
更に、前記分割手段によって分割される部分画像情報の数を変更設定する数変更設定手段を具備したことを特徴とする請求項２に記載の画像処理装置。
【請求項４】
前記部分画像情報抽出手段は、前記画像情報表示手段に表示された画像情報からそれぞれサイズの異なる部分画像情報を複数抽出することを特徴とする請求項１に記載の画像処理装置。
【請求項５】
前記部分画像抽出手段は、抽出される複数の部分画像情報のサイズもしくは位置を変更設定するサイズ変更設定手段もしくは位置変更設定手段を具備したことを特徴とする請求項１又は４に記載の画像処理装置。
【請求項６】
更に、前記画像情報表示手段に抽出可能な複数の部分画像情報の領域を表示する領域表示手段と、この領域表示手段によって表示された複数の領域のうち前記部分画像情報抽出手段によって抽出させる領域を選択する領域選択手段とを具備したことを特徴とする請求項１乃至５のいずれかに記載の画像処理装置。
【請求項７】
画像情報を記憶する画像情報記憶手段と、この画像情報記憶手段に記憶された前記画像情報を表示する画像情報表示手段と、この画像情報表示手段に表示された画像情報から複数の部分画像情報を一部の画像情報を重複させて抽出する部分画像情報抽出手段と、この部分画像情報抽出手段によって抽出された前記複数の部分画像情報それぞれを記憶する部分画像情報記憶手段とを具備したことを特徴とする画像処理装置。
【請求項８】
前記部分画像情報抽出手段によって抽出される部分画像情報は、少なくともＶＧＡサイズの部分画像情報を含むことを特徴とする請求項７に記載の画像処理装置。
【請求項９】
更に、前記画像情報表示手段に抽出可能な複数の部分画像情報の領域を表示する領域表示手段を具備したことを特徴とする請求項７もしくは８に記載の画像処理装置。
【請求項１０】
更に、前記部分画像情報抽出手段によって抽出される部分画像情報の位置を変更設定する変更設定手段を具備したことを特徴とする請求項７乃至９のいずれかに記載の画像処理装置。
【請求項１１】
更に、前記前記部分画像情報抽出手段によって抽出された部分画像情報をそれぞれファイル化して前記部分画像情報記憶手段に記憶させるファイル化手段を具備したことを特徴とする請求項１乃至１０のいずれかに記載の画像処理装置。
【請求項１２】
更に、被写体を撮影して画像情報を得る撮像手段を備え、前記画像情報記憶手段に記憶された画像情報は前記撮像手段によって撮影された画像情報であることを特徴とする請求項１乃至１１のいずれかに記載の画像処理装置。
【請求項１３】
コンピュータに、
画像情報を記憶する画像情報記憶する機能と、
この画像情報記憶手段に記憶された前記画像情報を表示する画像情報表示機能と、
この画像情報表示手段に表示された画像情報から複数の部分画像情報を抽出する部分画像情報抽出する機能と、
この部分画像情報抽出によって抽出された前記複数の部分画像情報それぞれを異なった識別情報に対応させて記憶する部分画像情報記憶する機能と、
を実現させるためのプログラム。
【発明の詳細な説明】
【技術分野】
【０００１】
この発明は、トリミング機能を備えた画像処理装置及びプログラムに関する。
【背景技術】
【０００２】
従来、画像情報を表示部に表示させると共に、この表示された画像情報のうち、任意の一部の画像情報を切り出して新たな画像情報としてファイル化することが行われており、このような画像情報の一部を切り出す機能はトリミング機能と呼ばれている。ＣＣＤ等の個体撮像素子を用いて被写体を撮影する電子スチルカメラにあっても、トリミング機能を持たせることが考えられており、例えば、撮影した１枚の画像情報を表示部に表示させると共に、ズームアップキーを用いてトリミングしたい部分画像が表示部全体に表示されるまでズームアップし、実行キー操作を行うことによって表示部に拡大表示された部分画像がトリミングされてトリミング画像として記憶部に記憶させることが知られている（特許文献１参照）。
【特許文献１】特開２００２−２２３４１３号
【発明の開示】
【発明が解決しようとする課題】
【０００３】
しかしながら、上述した電子スチルカメラのトリミングでは、１枚の画像情報から複数のトリミング画像を切り出したい場合、上述した画像のズームアップ及び実行キーによる記憶動作を複数回繰り返して行わなければならず極めて面倒で時間がかかる欠点があった。
【０００４】
本発明は上記の点に鑑みてなされたもので、その課題とするところは、極めて簡単な動作で迅速に一つの画像情報から複数のトリミング画像を取り出すことが出来る画像処理装置及びプログラムを提供する点にある。
【課題を解決するための手段】
【０００５】
本発明の請求項１の画像処理装置は、画像情報を記憶する画像情報記憶手段と、この画像情報記憶手段に記憶された前記画像情報を表示する画像情報表示手段と、この画像情報表示手段に表示された画像情報から複数の部分画像情報を抽出する部分画像情報抽出手段と、この部分画像情報抽出手段によって抽出された前記複数の部分画像情報それぞれを異なった識別情報に対応させて記憶する部分画像情報記憶手段とを具備したことを特徴とする。
【０００６】
請求項２の画像処理装置は、前記部分画像情報抽出手段が前記画像情報表示手段に表示された画像情報を予め定められた数の部分画像情報に分割して抽出する分割手段を具備していることを特徴とする。
【０００７】
請求項３の画像処理装置は、更に、前記分割手段によって分割される部分画像情報の数を変更設定する数変更設定手段を具備したことを特徴とする。
【０００８】
請求項４の画像処理装置は、前記部分画像情報抽出手段が、前記画像情報表示手段に表示された画像情報からそれぞれサイズの異なる部分画像情報を複数抽出することを特徴とする。
【０００９】
請求項５の画像処理装置は、前記部分画像抽出手段が抽出される複数の部分画像情報のサイズもしくは位置を変更設定するサイズもしくは位置変更設定手段を具備したことを特徴とする。
【００１０】
請求項６の画像処理装置は、更に、前記画像情報表示手段に抽出可能な複数の部分画像情報の領域を表示する領域表示手段と、この領域表示手段によって表示された複数の領域のうち前記部分画像情報抽出手段によって抽出させる領域を選択する領域選択手段とを具備したことを特徴とする。
【００１１】
請求項７の画像処理装置は、画像情報を記憶する画像情報記憶手段と、この画像情報記憶手段に記憶された前記画像情報を表示する画像情報表示手段と、この画像情報表示手段に表示された画像情報から複数の部分画像情報を一部の画像情報を重複させて抽出する部分画像情報抽出手段と、この部分画像情報抽出手段によって抽出された前記複数の部分画像情報それぞれを記憶する部分画像情報記憶手段とを具備したことを特徴とする。
【００１２】
請求項８の画像処理装置は、前記部分画像情報抽出手段によって抽出される部分画像情報は、少なくともＶＧＡサイズの部分画像情報を含むことを特徴とする。
【００１３】
請求項９の画像処理装置は、更に、前記画像情報表示手段に抽出可能な複数の部分画像情報の領域を表示する領域表示手段を具備したことを特徴とする。
【００１４】
請求項１０の画像処理装置は、更に、前記部分画像情報抽出手段によって抽出される部分画像情報の位置を変更設定する変更設定手段を具備したことを特徴とする。
【００１５】
請求項１１の画像処理装置は、更に、前記前記部分画像情報抽出手段によって抽出された部分画像情報をそれぞれファイル化して前記部分画像情報記憶手段に記憶させるファイル化手段を具備したことを特徴とする。
【００１６】
請求項１２の画像処理装置は、更に、被写体を撮影して画像情報を得る撮像手段を備え、前記画像情報記憶手段に記憶された画像情報は前記撮像手段によって撮影された画像情報であることを特徴とする。
【発明の効果】
【００１７】
本発明によれば、一つの画像情報から複数のトリミング画像を極めて簡単な動作で迅速に取り出すことが出来る。
【発明を実施するための最良の形態】
【００１８】
（第１実施例）
図１は、この発明を適用した画像処理装置の第１実施例であり、例えば、電子スチルカメラの回路ブロック図である。図において、制御部１は、ＣＰＵ等から構成され内部に記録装置全体の動作を制御するプログラムや後述する各部の動作を制御するプログラムを備えている。この制御部１にはバスライン２を介してそれぞれ詳細を後述する記録部３、ＲＡＭ（ランダム・アクセス・メモリ）４、伝送制御部５、表示部６、撮像部７、キー入力部８及び記録媒体９が装着される記録媒体駆動部１０が接続されている。
【００１９】
前記記録部３は、装置内部に固定的に配置されていて通常状態では取り出すことが出来ない内部メモリであり、不揮発性のメモリ、例えばフラッシュメモリなどから構成されている。この記録部３には、撮像部７で撮影されたスチル画像情報がＪＰＥＧ圧縮されたファイル形式で順次記録されると共に、詳細を後述する部分画像情報もファイル形式で順次記録される。
【００２０】
ＲＡＭ４は、ワークエリアとしての記憶動作を行うもので、図３に示すように記録部３に記録された画像情報が伸張されて記憶される画像情報展開エリア４Ａと、詳細は後述するがトリミングされて切り出された部分画像情報が記憶される部分画像情報記憶部４Ｂと、画像情報展開エリア４Ａに記憶された画像情報のうちトリミングする部分画像情報のフレームの座標データ等を記憶する座標情報記憶部４Ｃと、演算処理などその他の処理に利用されるワークエリア４Ｄとから構成されている。
【００２１】
伝送制御部５は、外部の電子機器、例えばパーソナルコンピュータなどと接続され画像情報等の送受信を制御するものである。尚、外部機器との接続は、ケーブルなどによる有線でなく赤外線や無線などのワイヤレス接続で行ってもよいものである。
【００２２】
表示部６は、例えばカラー液晶表示装置などから構成され、撮影或いは再生時の画像情報や各種設定情報、各種動作のガイダンス情報などを表示するものである。
【００２３】
図２は、図１の撮像部７の詳細な構成を示したもので、撮影レンズ１１を通過した被写体像は絞り機構１２を介してＣＣＤ等の撮像素子１３上に結像される。前記撮影レンズ１１及び絞り機構１２は、光学系駆動部１４によって焦点合わせのためにレンズ位置が移動されまた適切な露出となるように絞り量が制御されるもので、このレンズの移動や絞り機構の絞りは、測距センサや光量センサを含むセンサ部１５によって検出された検出値がバスライン２を介して制御部１に送られ、制御部１で検出値に基づいて演算されたレンズの移動量や絞り機構の絞り量を示す信号が光学系駆動部１４に送られることによって駆動がなされるものである。
【００２４】
前記撮像素子１３に被写体が結像されることにより撮像素子には入射光量に応じた電荷が蓄積され、この電荷は駆動回路１６から与えられる駆動パルス信号によって順次読み出されアナログ処理回路１７に送られる。アナログ処理回路１７では、色分離やゲイン調整、ホワイトバランスなどの各種処理が行われ、処理された信号はＡ／Ｄ変換回路１８を介してデジタルの画像情報としてバッファレジスタ１９に記憶される。
【００２５】
バッファレジスタ１９に記憶された画像情報は、信号処理回路２０において輝度信号及び色差信号に変換されると共に、圧縮伸張回路２１にて圧縮されバスライン２を介して図１に示した記録部３に記録されるものである。尚、前述した如く画像情報の記録はファイル形式で記録され、また、このとき記録された画像情報は表示部６にも表示され、撮影した画像を確認できるようになっている。
【００２６】
図１に戻り、入力部８には、上述した撮像部７を駆動して画像を記録させるためのシャッターキー８Ａ、記録モード、再生モード、消去モード、トリミングモード及びトリミング画像の表示モードを順次切り替えるためのモード切替キー８Ｂ、トリミングモードの際にトリミング処理を開始させるトリミングキー８Ｃ、トリミングの処理を取り消す（キャンセルする）為のキャンセルキー８Ｄ、各種処理を実行させる際に操作される実行キー８Ｅを備えている。
【００２７】
また、入力部８には、表示部６に表示された各種情報を選択或いは設定したり、表示されている画像を切り替えたりするために上下左右にそれぞれスイッチ操作部が設けられた十字キー８Ｇも備えられており、更に、図示していないが、撮像部での各種撮影条件を設定するための各種キーや電源オン／オフのためのキーなどが備えられている。
【００２８】
記録媒体駆動部１０は、この記録媒体駆動部１０に着脱可能な記録媒体９に対して情報を記録したり、既に記録されている情報を読み出して再生したりする為の駆動回路であり、装着される記録媒体９としては、ＩＣカード等が用いられる。この場合、カードではなく磁気デイスク、光（或いは光磁気）デイスクなどの各種デイスクを用いてもよく、要するに多数の画像情報を記憶し得る記憶媒体９が用いられ、記録媒体駆動部１０もこれら使用される記録媒体９に応じた駆動回路となっていればよいものである。
【００２９】
次に、上記の如く構成された電子スチルカメラの動作につき説明する。
【００３０】
モード切替キー８Ｂによって記録モードが設定されている際にシャッターキー８Ａが操作されると、図２の撮像素子１３に結像された被写体像の画像情報がバッファレジスタ１９に取り込まれる。
【００３１】
この場合、シャッタースイッチ８Ａは詳細を図示していないが２段スイッチで構成され、１段目のスイッチがオンになると被写体までの距離や光量が測定されて焦点合わせや絞り制御が行われ、２段目のスイッチで撮像素子から被写体画像の読み出しが開始されるものである。しかして、バッファレジスタ１９に記憶された画像情報は信号処理回路２０で処理され更に圧縮伸張回路２１で圧縮され、更にファイル化され撮影順序を示す数値データ或いは文字データなどを含むファイル名が自動的に付与されて記録部３に記録される。尚、ファイル名はキー操作などによって任意のファイル名に変更することも出来る。
【００３２】
記録部３には、撮影した画像情報のファイルを記録するフォルダが予め設定されており、撮影された画像情報のファイルは、このフォルダに順次記録される。また、記録される各ファイルのヘッダーには、撮影した際の撮影条件情報も同時に記録されるもので、例えば撮影した時のシャッター速度や絞り情報、或いは、画質情報、ピクセル数（画素数）などが記録される。尚、この電子スチルカメラでは、６Ｍ（２８１６×２１１２）、３Ｍ（２０４８×１５３６）、２Ｍ（１６００×１２００）、１Ｍ（１２８０×９６０）及びＶＧＡ（６４０×４８０）のいずれかの画素数を予め選択して撮影することが出来るようになっており、ファイルのヘッダーに記憶される画素数は撮影時に選択された画素数情報が記憶される。
【００３３】
このようにして記録部３に記録された被写体の画像情報は、モード切替キー８Ｂの操作によって再生モードを設定することによって表示部６に順次再生表示させることが出来、また、消去モードに設定することに記録部３から消去させることが出来る。しかして、記録された画像情報の再生や消去は電子スチルカメラで一般的に行われていることであり、その詳細な説明は省略する。
【００３４】
図４は、モード切替キー８Ｂの操作によってトリミングモードが設定された際のフローチャートである。まずステップＳ１は、記録部３に記録されている撮影された画像のファイル名が表示部６に一覧表示させ、この中から任意のファイル名を選択する処理である。図５はこの選択時の表示状態を示しているもので、表示部６にファイル名としてＡ画像．ＪＰＧ、Ｂ画像．ＪＰＧ・・・が表示されると共に、そのうちの一つには枠表示３０がなされている。この枠表示３０を十字キー８Ｇの操作によって任意のファイル名に移動させ実行キー８Ｅを操作することによって画像の選択がなされ、次のステップＳ２に進む。
【００３５】
ステップＳ２では、選択されたファイルが記録部３から読み出され、そのファイルの画像情報が伸張展開されてＲＡＭ４の画像情報展開エリア４Ａに記憶されると共に図６に示す表示部６の画像情報表示領域３１に表示される。また同時にこの表示された画像を予め定められた数、例えば４×３に等分割する為の直線画像３２Ａ、３２Ｂ、３３Ａ、３３Ｂ、・・・の座標情報がＲＡＭ４の座標情報記憶部４Ｃに記憶されると共に画像情報表示領域３１に表示された画像情報に重ねて表示される。
【００３６】
即ち、図６に示すように、表示部６の画像情報表示領域３１に表示された画像情報は、直線画像３２Ａ、３２Ｂ、３３Ａ、３３Ｂ、・・・によって１２の部分画像に分割されて表示されるものである。また、画像情報表示領域３１の上方の表示領域には、表示されている画像情報のファイル名が表示され、下方の表示領域には、〔分割枚数設定〕の文字と、分割数である横４、縦３の文字が表示される。
【００３７】
次のステップＳ３では、表示されている横４及び縦３の数値を変えることによって分割数を変更設定するもので、例えば十字キー８Ｇの左右方向の操作で横４及び縦３の一方を選択し、十字キー８Ｇの上下方向の操作で数値データを変更していくことにより分割数を変えることが出来る。
【００３８】
図７は、横の分割数４を３に変更した際の表示内容を示しており、図６に示した直線画像３３Ａ乃至３３Ｃが消え、代わりに直線画像３３Ｄ及び３３Ｅが表示されて横方向を３つに等分割しているものである。
【００３９】
尚、直線画像の座標情報は、予めＣＰＵ１内部の図示しないＲＯＭなどに分割数と対応付けて記憶させておき、設定された分割数によって対応する座標情報を読み出すか、或いは、設定された分割数を用いて演算することによって得ることが出来る。
【００４０】
このようにして、ステップＳ３での分割枚数の設定が行われた後は、ステップＳ４及びステップＳ５で、トリミングキー８Ｃ或いはキャンセルキー８Ｄの何れかのキー操作が成されたか否かを判断する。
【００４１】
ステップＳ４でトリミングキー８Ｃが操作されたことが判断されるとステップＳ６に進み、分割された各部分画像の画素数が演算されＲＡＭ４のワークエリア４Ｄに記憶される。即ち、ヘッダに記憶されている画素数情報と、設定された分割数とによって直線画像で分割された部分画像の画素数を演算するもので、例えば、表示されている画像情報が３Ｍ（２０４８×１５３６）で分割数が３×３の場合には、各部分画像の画素数は６８２（小数点以下切り捨て）×５１２となり、この画素数データがワークエリア４Ｄに記憶される。
【００４２】
次のステップＳ７では、表示されている各部分画像に対応する画像情報を順次画像情報展開エリア４Ａから読み出すもので、図７に示すように、まず表示領域３４Ａに表示されている部分画像に対応する画像情報（画素数６８２×５１２）を画像情報展開エリア４Ａから読みだし、これをファイル化して識別情報としてファイル名を付してＲＡＭ４の部分画像情報記憶部４Ｂに記憶する。この場合、ファイル名は例えば元の画像情報のファイル名、例えば「Ｃ画像」にハイフォンと番号を付けて「Ｃ画像―０１」とすることによって行われる。
【００４３】
次のステップＳ９では、全ての部分画像での処理が成されたか否かをファイル化した数と設定された分割数とから判断し、全ての処理が成されていない場合にはステップＳ７に戻り、次の表示領域（図７の表示領域３４Ｂ）に表示されている部分画像に対応する画像情報を画像情報展開エリア４Ａから読みだしステップＳ８でファイル化するものである。
【００４４】
このようにして、全ての部分画像についてファイル化が成され部分画像情報記憶部４Ｂに記憶されると、次のステップＳ１０では、部分画像情報記憶部４Ｂに記憶された全ファイルを記録部３に転送して格納する。この場合、記録部３には図８に示すように元の画像情報のファイル名と同じ「Ｃ画像」というフォルダが自動作成され、このフォルダ内に全ファイルが記憶されるものである。
【００４５】
尚、ステップＳ５においてキャンセルキー８Ｄが操作されたことが検出された場合には、ステップＳ１に戻り、分割する画像のファイル名を選択する処理から改めてトリミングを行わせることが出来るものである。
【００４６】
このようにして記録部３に記録された複数の部分画像情報のファイルは、モード切替キー８Ｂを操作して、トリミング画像の表示モードを設定することによって表示部６に表示させることが出来るもので、例えばトリミング画像の表示モードが設定されると、まずＣ画像−０１．ＪＰＧのファイルの部分画像情報が表示部６に表示され、以後、十字キー８Ｇの操作によってＣ画像−０２．ＪＰＧ、Ｃ画像−０３．ＪＰＧ・・・のファイルの部分画像情報が順次表示部６に切換表示されるものである。
【００４７】
また、記録部３に記録された複数の部分画像情報のファイルは、記録媒体駆動部１０を介して記録媒体９に記録させたり、伝送制御部５を介して外部機器、例えばパーソナルコンピュータなどに転送することも出来る。
【００４８】
図９乃至図１２は、上述した第１実施例の一部変形例であり、図９は、図４のステップＳ３に変えてステップＳ１１及びステップＳ１２の処理を追加したものである。即ち、ステップＳ１１では、ステップＳ３同様に分割数を設定できるが、図１０に示すように分割された部分画像情報に画像番号情報１、２、３、・・・・が重ねて表示される様になっている。そして次のステップＳ１２では、分割された部分画像情報のうち、トリミングする部分画像情報を画像番号情報を用いて選択する。
【００４９】
即ち、画像情報表示領域３１の下側には、画像選択の文字が表示され、その下に、例えば、トリミングする部分画像情報の画像番号情報１、６、８を十字キー８Ｇ等を用いて設定する。図１１に示すように、トリミングする部分画像情報の画像番号情報１、６、８が設定されると、図４のステップＳ４、Ｓ６を介したステップＳ７乃至Ｓ１０では、設定された画像番号情報１、６、８に対応する部分画像情報３４Ａ、３４Ｆ及び３４Ｈのみがファイル化されて記録部３に記録されるものである。図１２は、記録部３に部分画像情報３４Ａ、３４Ｆ及び３４Ｈがファイル化されて記録された状態を示している。
【００５０】
図１３及び図１４は、第１実施例の他の変形例で、図１３は、図４のステップＳ２及びＳ３に変えてステップＳ１３乃至Ｓ１５の処理を追加したものである。しかしてステップＳ１３では、図４のステップＳ２で選択された画像が画像情報表示領域３１に表示されるが、図１４の（ａ）に示すように、予め定められた形状のフレーム３５ａ、３５ｂ、３５ｃ及び３５ｄが画像番号と共に同時に表示される。これらフレーム３５ａ乃至３５ｃの位置座標データは、予めＣＰＵ１内部の図示しないＲＯＭなどに記憶されているもので、この位置座標データがＲＯＭからＲＡＭ４の座標情報記憶部４Ｃに送られて記憶され、更に、画像情報表示領域３１に画像情報に重ねられて表示されるものである。
【００５１】
次のステップＳ１４は、表示された４つのフレームのうちからトリミングするフレームを選択するもので、例えば、図１４の（ｂ）に示すように、選択画像の文字の下に番号１及び３を設定するとフレーム３５ａ及び３５ｃが選択されたこととなる。
【００５２】
次のステップＳ１５は、選択されたフレームの拡大及び縮小を行う処理で、選択されたフレームを一つずつ選び、順次十字キー８Ｇを用いてズームアップ或いはズームダウンを行う処理である。例えば、フレーム３５ａを選択し、十字キー８Ｇの上キー操作を行うと、ＲＡＭ４の座標情報記憶部４Ｃに記憶されているフレーム３５ａの位置座標が順次フレーム３５ａを拡大する位置に変化していき、逆に、十字キー８Ｇの下キー操作を行うと、ＲＡＭ４の座標情報記憶部４Ｃに記憶されているフレーム３５ａの位置座標が順次フレームを縮小する位置に変化していくものである。図１４の（ｂ）では、フレーム３５ａと３５ｃとがそれぞれ拡大された状態を示している。
【００５３】
このような設定が行われると、図４のステップＳ４、Ｓ６を介したステップＳ７乃至Ｓ１０では、設定された画像番号情報１、３に対応するフレーム３５ａ及び３５ｃ内部の部分画像情報がファイル化されて記録部３に記録されるものである。
【００５４】
（第２実施例）
図１５乃至図１８は、本発明の第２実施例を示している。尚、第１実施例及びその変形例と同一構成部に関しては同一符号を付してその詳細な説明は省略する。この第２実施例における画像処理装置の回路構成は、図１と同一である。
【００５５】
しかして、図１５は、この第２実施例におけるトリミングモードのフローチャートである。ステップＳ２１は、図４のステップＳ１同様に、記録部３に記録された撮影画像のファイルの中からトリミングするファイルを選択する処理である。次のステップＳ２２は、選択されたファイルの画像情報をＲＡＭ４の画像情報展開エリア４Ａに記憶させると共に表示部６の画像表示示領域３１に表示させるものである。
【００５６】
次のステップＳ２３は、画像表示領域３１に表示された画像情報に重ねてトリミングする部分画像のフレームを表示させる処理であるが、この場合、第１実施例の如く等分割するのではなく、表示された画像情報の一部が複数のトリミング画像中に重複して存在するようにフレームを表示させるものである。
【００５７】
即ち、表示されるフレームは、画像表示領域３１に表示された画像情報の画素数が、６Ｍ（２８１６×２１１２）、３Ｍ（２０４８×１５３６）、２Ｍ（１６００×１２００）、１Ｍ（１２８０×９６０）及びＶＧＡ（６４０×４８０）の５種類のうちの何れであるかを判断し、表示された画像情報の画素数以下の画素数の種類のフレームが表示されるものである。例えば、表示される画像情報の画素数が６Ｍであった場合、６Ｍより小さい３Ｍ、２Ｍ、１Ｍ及びＶＧＡの画像に相当する位置にフレーム画像が表示されるものである。
【００５８】
図１７は、画像表示領域３１に６Ｍの画像情報が表示された場合の、各フレームの表示状態を示しており、４隅をＡ、Ｂ、Ｃ及びＤとするフレーム画像が画素数３Ｍの画像を囲むフレーム画像であり、Ｅ、Ｆ、Ｇ及びＨを４隅とするフレーム画像が画像が２Ｍの画像を囲むフレーム画像である。そして更に内部のフレーム画像がそれぞれ１Ｍ、ＶＧＡの画像を囲むフレーム画像となっている。尚、Ｚは中心点を示す為に表示されるマーク画像である。
【００５９】
このようなフレーム画像の表示は、予めＣＰＵ１内部の図示しないＲＯＭなどに記憶された座標情報が読み出されてＲＡＭ４の座標情報記憶部４Ｃに記憶されることによって行われる。即ち、画素数６Ｍの画像情報が表示された場合、図１７の点Ｐを座標（０、０）とすると、図１６に示す様に、中心点Ｚ座標（１４０８、１０５６）、Ａ点座標（３８５、１８２４）、Ｂ点座標（２４３２、１８２４）、Ｃ点座標（３８５、２８９）・・・の情報が座標情報記憶部４Ｃに記憶され、これらの座標情報を基に画像表示領域３１の対応する位置に矩形のフレーム画像が作成されて表示されるものである。
【００６０】
また、画像表示領域３１に表示される画像情報が例えば２Ｍの画像であった場合には、この２Ｍより小さい１Ｍ、ＶＧＡに対応する位置にフレーム画像が表示される様になっている。
【００６１】
図１５に戻り、ステップＳ２３のフレーム表示の処理が終わると、次のステップＳ２４、Ｓ２５及びＳ２６では、それぞれ十字キー８Ｇ、トリミングキー８Ｃ、キャンセルキー８Ｄの何れのキー操作が成されたかが判断される。
【００６２】
ステップＳ２６でキャンセルキー８Ｄの操作が検出された場合にはステップＳ２１に戻るが、ステップＳ２４で十字キー８Ｇの操作が検出された場合には次のステップＳ２７で、表示されているフレーム画像を移動させる処理が成される。
【００６３】
即ち、図１７の如く点Ｚを中心とする４つのフレーム画像が表示されている状態で、例えば十字キー８Ｇの下方向スイッチが操作されると、４つのフレーム画像はそれぞれ下方向に移動するものであり、この処理は、座標情報記憶部４Ｃに記憶されている各座標情報のＹ座標を順次減算していくことによって行われる。
【００６４】
そして、図１８の（ａ）の如く、３Ｍのフレーム画像の下辺が、画像表示領域３１の下辺に一致すると、３Ｍのフレーム画像は、点Ａ、Ｂ、Ｃ及びＤの減算動作が停止されることによって下方への移動が停止され、残りの２Ｍ、１Ｍ及びＶＧＡのフレーム画像のみが更に下方に移動する。２Ｍ、１Ｍ及びＶＧＡのフレーム画像も、同様にして下辺が、画像表示領域３１の下辺に一致すると下方への移動が停止され、最終的には図１８（ｂ）に示すように４つのフレーム画像が下辺を一致させた状態で停止する。
【００６５】
尚、このフレーム画像の移動は、十字キー８Ｇの下方向スイッチが押圧操作されている間に順次一定速度で移動し、操作が停止されると移動を停止するようにしてもよいし、或いは、十字キー８Ｇの下方向スイッチが１回操作される毎に所定量だけ移動させるようにしてもよい。
【００６６】
次に、図１８（ｂ）に示した状態で、十字キー８Ｇの左方向スイッチが操作されると各座標情報のＸ座標情報が順次減算され、４つのフレーム画像は図１８（ｃ）に示すように順次左方向に移動し、最終的には図１８（ｄ）に示す表示状態となる。十字キー８Ｇの上方向スイッチ或いは右方向スイッチを操作した場合は同様にフレームは上方向或いは右方向に順次移動するもので、このようにして、４つのフレームのいずれであっても、表示されている画像情報の任意の領域を囲むことが出来るようになっている。
【００６７】
ステップＳ２７におけるフレーム移動処理の後、ステップＳ２５でトリミングキー８Ｃの操作が検出されるとステップＳ２８に進み、まず、最大のフレーム画像（図１８の例では３Ｍのフレーム画像）で囲まれた部分画像に対応する画像情報が画像情報展開エリア４Ａから読み出され、次のステップＳ２９でファイル化され且つ識別情報としてファイル名が付されて部分画像情報記憶部４Ｂに記憶される。
【００６８】
このようにして部分画像情報が抽出された後は、次のステップＳ３０で、全てのフレーム画像につき部分画像が読み出されたかの判断が成される。この場合では、まだ、２Ｍ、１Ｍ及びＶＧＡの画像の抽出が行われていないのでステップ２８に戻り、以降の処理を繰り返すことによって２Ｍ、１Ｍ及びＶＧＡの部分画像情報が部分画像情報記憶部４Ｂに順次記憶される。
【００６９】
全ての部分画像の切り出しが終わると、次のステップＳ３１では記録部３にフォルダを作成し、部分画像情報記憶部４Ｂに記憶された各ファイルを記録部３のフォルダに記憶させて処理を終了する。
【００７０】
このように、この第２の実施例では、一つの画像情報から画像情報の一部をそれぞれが含むように複数の部分画像情報をトリミングすることが出来る。
【００７１】
尚、この第２の実施例においてもそれぞれのフレーム画像に画像番号を付して表示させ、画像番号からトリミングするフレームを選択するようにすることが出来、また、各フレーム画像を拡大或いは縮小してトリミングさせることや各フレーム画像の中心点Ｚの表示上の位置をポインティングデバイスなどを用いて指定し、それに合わせて各フレームを表示させる等、種々の変形が可能である。
【００７２】
また、上記第１及び第２実施例では、記録部３に記録された一枚の撮影画像を表示させ、この表示された画像情報から複数のトリミング画像を抽出するようにしたが、例えば、パノラマ画像のように複数枚の画像を左右方向、上下方向或いは上下左右方向に並べて表示させ、その全体の画像から複数の部分画像をトリミングするようにしてもよいものである。
【００７３】
更に、上記各実施例では、本発明が適用される画像処理装置として、電子スチルカメラにつき説明したが、他の画像処理装置、例えば、ビデオカメラ、携帯電話、ＰＤＡ、パーソナルコンピュータ、ゲーム機、音楽再生機、ＥＣＲ、ＰＯＳなどにも適用し得るものである。
【図面の簡単な説明】
【００７４】
【図１】本発明による第１実施例の電子スチルカメラの回路ブロック図。
【図２】図１の撮像部７の詳細な構成図。
【図３】図１のＲＡＭ４の構成図。
【図４】トリミングモードでのフローチャート。
【図５】ファイル選択の表示状態図。
【図６】画像情報の表示状態図。
【図７】同じく画像情報の表示状態図。
【図８】記憶部３に記憶されたファイルの記憶状態図。
【図９】第１実施例の変形例のフローチャート。
【図１０】図９の変形例の画像情報の表示状態図。
【図１１】同じく変形例の画像情報の表示状態図。
【図１２】同じく変形例の記憶部３に記憶されたファイルの記憶状態図。
【図１３】更に他の変形例のフローチャート。
【図１４】他の変形例の画像情報の表示状態図。
【図１５】本発明による第２実施例のフローチャート。
【図１６】第２実施例のＲＡＭ４の記憶状態図フローチャート。
【図１７】第２実施例の表示状態図。
【図１８】同じく第２実施例の表示状態図。
【符号の説明】
【００７５】
３    記録部
４    ＲＡＭ
６    表示部
７    撮像部
８    入力部
９    記録媒体
１１  撮影レンズ
１２  絞り機構
１３  撮像素子
１７  アナログ処理回路
１８  Ａ／Ｄ変換回路
１９  バッファレジスタ
２０  信号処理回路
２１  圧縮伸張回路
【図１】
2006115365.tif 000003
【図２】
2006115365.tif 000004
【図３】
2006115365.tif 000005
【図４】
2006115365.tif 000006
【図５】
2006115365.tif 000007
【図６】
2006115365.tif 000008
【図７】
2006115365.tif 000009
【図８】
2006115365.tif 000010
【図９】
2006115365.tif 000011
【図１０】
2006115365.tif 000012
【図１１】
2006115365.tif 000013
【図１２】
2006115365.tif 000014
【図１３】
2006115365.tif 000015
【図１４】
2006115365.tif 000016
【図１５】
2006115365.tif 000017
【図１６】
2006115365.tif 000018
【図１７】
2006115365.tif 000019
【図１８】
2006115365.tif 000020